(57)【特許請求の範囲】
【請求項１】
往復走査するキャリッジと、
記録ヘッドを保持して前記キャリッジに対してスライドすることにより、前記キャリッジに対する前記記録ヘッドの位置決めおよび固定をするヘッドホルダーと、
前記記録ヘッドと記録装置に備えられたメイン基板とを電気的に接続するフレキシブル基板と、
前記フレキシブル基板を前記キャリッジに固定するベースカバーと、
を備えた記録装置において、
前記ヘッドホルダーが押さえられた状態で前記記録ヘッドが前記キャリッジから取り外されることを規制するリブを前記ベースカバーに設けることを特徴とする記録装置。
【請求項２】
前記キャリッジに、前記フレキシブル基板を前記キャリッジの表面に沿わせた状態で保持する保持手段を備えることを特徴とする請求項１に記載の記録装置。
【発明の詳細な説明】
【０００１】
【発明の属する技術分野】
本発明は、被記録媒体の搬送方向（副走査方向）と交差する方向に、記録ヘッドを保持するキャリッジが主走査するシリアルタイプの記録装置に関する。
【０００２】
【従来の技術】
プリンタ、複写機、ファクシミリ等の機能を有する記録装置、あるいはコンピュータやワードプロセッサ等を含む複合型電子機器やワークステーションの出力機器として用いられる記録装置は、画像情報に基づいて用紙やプラスチック薄板等の被記録媒体に画像を記録していくように構成されている。前記の記録装置は、記録方式により、インクジェット式、ワイヤードット式、サーマル式、レーザービーム式等に分けることができる。
【０００３】
被記録媒体の搬送方向（副走査方向）と交差する方向に主走査するシリアルスキャン方式を採るシリアルタイプの記録装置においては、被記録媒体に沿って移動するキャリッジ上に搭載した記録手段によって画像を記録（主走査）し、１行分の記録を終了した後に所定量の紙送り（ピッチ搬送）を行い、その後に再び停止した被記録媒体に対して、次の行の画像を記録（主走査）するという動作を繰り返すことにより、被記録媒体全体への記録が行われる。
【０００４】
上記の記録装置のうち、インクジェット式の記録装置（インクジェット記録装置）は、記録手段である記録ヘッドから被記録媒体にインクを吐出して記録を行うものであり、記録手段のコンパクト化が容易であり、高精細な画像を高速で記録することができ、普通紙に特別の処理を必要とせずに記録することができ、ランニングコストが安く、ノンインパクト方式であるため騒音が少なく、しかも、多色のインクを使用してカラー画像を記録するのが容易であるなどの利点を有している。
【０００５】
次に、従来の記録装置におけるキャリッジ部の構成について説明する。
【０００６】
図１４は従来の記録装置の概略構成を示す正面図、図１５は図１４に示した記録装置のキャリッジ部の平面図である。
【０００７】
図１４に示すように、従来の記録装置におけるキャリッジ部１００５は、キャリッジ１０５０の軸受がシャーシ１００８に取り付けられたガイド軸１０８１に通され、調整レバー１５８１及び圧接レバー１５８２（図１５参照）が同じくシャーシ１００８に取り付けられたガイドレール１０８２に摺動されることにより、図示Ａ方向に往復走査が可能となっている。キャリッジ１０５０の背面にはタイミングベルト１０８３が取り付けられている。タイミングベルト１０８３は、シャーシ１００８に取り付けられたキャリッジモーター１０８０の軸上に取り付けられたプーリー１０８４ａと、シャーシ１００８に取り付けられタイミングベルト１０８３を張設するアイドルプーリー１０８４ｂとに掛け回されている。キャリッジ１０５０は、キャリッジモーター１０８０を正転および逆転させることによって往復走査される。
【０００８】
また、キャリッジ１０５０の上部には、記録ヘッド１００７と記録シート（不図示）とのギャップを調整するための紙間調整部が設けられている。紙間調整部は、図１５に示すように、調整レバー１５８１、圧接レバー１５８２、圧接バネ１５８３およびトップカバー１５８４から構成されている。
【０００９】
次に、キャリッジ部１００５の主要各部の詳細について述ベる。
【００１０】
キャリッジ部１００５は、キャリッジ１０５０に各部品が取り付けられて構成されたユニットである。図１６にキャリッジ部１００５の正面図、図１７にキャリッジ部１００５のコンタクト部等の構成図、図１８に記録ヘッド１００７の脱着機構の主要部であるヘッドホルダー１０５１の平面図（ａ）および正面図（ｂ）を示す。
【００１１】
図１６〜図１８および前述の図１５に示すように、キャリッジ１０５０は、記録ヘッド１００７を保持するヘッドホルダー１０５１を有する。ヘッドホルダー１０５１は、キャリッジ１０５０上に設けられたガイド１５０１に沿って左右にスライドするように構成されている。ヘッドホルダー１０５１には、記録ヘッド１００７をガイドするガイド部１５１１と、キャリッジ１０５０に垂直に立てられた側板１５０２のコンタクト面１５０３および３つの位置決め面１５０４に記録ヘッド１００７を押し付けるための押し圧部１５１２が設けられている。キャリッジの側板１５０２の位置決め面は３点ある。記録ヘッド１００７のノズル部１０７０近傍のベースプレート１０７２上に２点、記録ヘッド１００７のインクタンク１０７３の上方に１点が対応するように構成されている。記録ヘッド１００７とキャリッジ１０５０のコンタクト面１５０３は、３つの位置決め面１５０４が形成する３角形の内部に位置するように構成されている。ヘッドホルダー１０５１の押し圧部１５１２の押し位置も、この３角形の内部にある。
【００１２】
また、ヘッドホルダー１０５１の押し圧部１５１２の対向位置にガイドアーム１５１３が設けられており、記録ヘッド１００７をコンタクト面１５０３から離脱する際にはこのガイドアーム１５１３が記録ヘッド１００７に作用する。キャリッジ１０５０の側板１５０２にはヘッド１００７脱着時のガイドを兼ねるリブ１５０９が設けられ、後述のフレキシブル基板１０５６のコンタクト部１５６１等の保護、目隠しを行っている。
【００１３】
記録ヘッド７には、図２１に示すように、インクタンク１０７３の側面にガイド１０７４が設けられており、前記ガイドアーム１５１３の上面に沿って装着される。そして、記録ヘッド１００７が装着される所定位置において、記録ヘッド１００７のガイド１０７４に凹部１０７５、そしてヘッドホルダー１０５１の対応する位置に規制手段としての凸部１５１４が設けられている。さらに、記録ヘッド１００７の底面には凸部１０７６が、ヘッドホルダー１０５１の対応する受け部には凸部１０７６に対応した凹部１５１５が設けられている。これによりヘッド１００７を装着する際にノズル部１０７０をプラテン１０３４等に当てることがなく、記録ヘッド１００７にダメージを与えることがない。そして、装着時のクリック感が得られ、装着感が向上する。また、ヘッドホルダー１０５１の凸部１５１４の引っ掛かりにより、記録ヘッド１００７の脱着時に記録ヘッド１００７が前面に落下したり、装着後の位置ずれ等の不安定感をなくすことができる。
【００１４】
フックレバー１０５３は、キャリッジ１０５０の側板１５０２に回転可能に取り付けられている。フックレバー１０５３の回転中心にはコンタクトバネ１０５４が設けられており、フックレバー１０５３を水平に寝かせた状態に付勢している。フックカバー１０５５はフックレバー１０５３を被うように取り付けられ、フックレバー１０５３がキャリッジ１０５０から抜けないように保持している。図１８に示すように、フックレバー１０５３とヘッドホルダー１０５１は互いに当接するカム１５１６，１５３１をそれぞれ有しており、フックレバー１０５３の回転によりヘッドホルダー１０５１が左右方向に移動するように構成されている。また、前記コンタクトバネ１０５４の付勢力はフックレバー１０５３を介して、ヘッドホルダー１０５１の記録ヘッド１００７の押圧力になっている。
【００１５】
図１７に示すように、キャリッジ１０５０の側板１５０２には記録ヘッド１００７の位置決めを行うための２つの嵌合ピン１５０５ａ，１５０５ｂが、記録ヘッド１００７のベースプレート１０７２の嵌合穴１０７７ａ，１０７７ｂ（図２１参照）に対応して設けられている。記録ヘッド１００７のベースプレート１０７２は記録ヘッド１００７の駆動からキャリッジ部１００５の走査方向に対して約１°〜４°傾いた構成となる。傾いた嵌合穴１０７７ａ，１０７７ｂに対応するために、一方の嵌合穴１０７７ａを角穴にし、それに対応するキャリッジ１０５０側の嵌合ピン１５０５ａを、図１９（ｂ）に示すように、一部に円柱形状１５０５ｄを有する角ピンとした。さらに、他方の嵌合穴１０７７ｂを丸穴とし、それに対応するキャリッジ側の嵌合ピン１５０５ｂを、図１９（ａ）に示すようにキャリッジ１０５０の型を構成する上でアンダーカットとなる部分を取り除き、キャリッジ１０５０の位置決め面１５０４に記録ヘッド１００７が突き当てられる位置（ヘッドセット位置）での嵌合が取れるようにした。このようにすることで複雑な型構造を必要とせずに、傾いたベースプレート１０７２に対しても正確かつスムーズな記録ヘッド１００７の位置決めを行うことができる。
【００１６】
さらに、図１７に示すように、キャリッジ１０５０の側板１５０２に設けられたコンタクト面１５０３（図１６参照）上には、記録ヘッド１００７と電気的なコンタクトを取るためにゴム硬度３０°〜５０°のシリコンゴム等の弾性体からなるラバーパッド１０５７が設けられている。そしてその上に、フレキシブル基板１０５６のコンタクト部１５６１が位置している。ラバーパッド１０５７、フレキシブル基板１０５６は共に、キャリッジ１０５０の側板１５０２に設けられた位置決めピン１５０６により位置決めされている。フレキシブル基板１０５６の位置決め部のコンタクト部１５６１の逆側にはスリット１５６３が設けられておりフレキシブル基板１０５６の組立上の変形等の影響がコンタクト部１５６１に及ばないように構成されている。
【００１７】
フレキシブル基板１０５６のコンタクト部１５６１は、図２０の拡大図に示すように、先端部１５６２が記録ヘッド１００７のベースプレート１０７２の形状に合わせて細くなり、端部に引っ掛け部１５６２ａが設けられている。このように、コンタクト部１５６１を三角形状にし、コンタクトパッド数を先端ほど減らすことで信号線のフォーミングが容易になり、高密度化を行うことができる。さらに、フレキシブル基板１０５６の先端部１５６２の処理が容易になる。
【００１８】
キャリッジ１０５０の側板１５０２には、前記フレキシブル基板１０５６の先端部１５６２を挿入するスリット穴１５０７が設けられている。このスリット穴１５０７にフレキシブル基板１０５６の先端部１５６２を挿入する際は、図２０（ｂ）に示すように、フレキシブル基板１０５６の先端部１５６２を反らせてスリット穴１５０７に挿入させる。スリット穴１５０７を通過すると、フレキシブル基板１０５６の先端部１５６２は図２０（ｃ）に示すように真っ直ぐになり、スリット穴１５０７に引っ掛かるために抜けることはない。この構成だと、先端部１５６２がフリーであり、フレキシブル基板１０５６のコンタクト部１５６１が剛性を持たないので、記録ヘッド１００７のコンタクト面１０７８（図２１（ｄ）参照）と良好なコンタクトができる。記録ヘッド１００７を装着すると、前記キャリッジ１０５０のコンタクト面１５０３（図１６参照）が記録ヘッド１００７のベースプレート１０７２の切り欠き部１０７９（図２１（ｄ）参照）の中に入り込み、切り欠き部１０７９の内側に形成された基板上のコンタクト面１０７８に接触する。
【００１９】
フレキシブル基板１０５６はキャリッジ１０５０の側板１５０２に沿って引き回し、垂直に折られてベースカバー１０５２によりキャリッジ１０５０に固定されている。この時、フレキシブル基板１０５６には仮止め用凸部１５６３（図１６参照）が設けられており、凸部１５６３をキャリッジ１０５０に止めておくことでフレキシブル基板１０５６を固定できるので、ベースカバー１０５２を取り付ける際に効率良く組み立てを行うことができる。さらに、ベースカバー１０５２には前記ラバーパッド１０５７およびフレキシブル基板１０５６がキャリッジ１０５０上のピン１５０６から抜けないようにするために、押え部１５２１が設けられている。
【００２０】
また、記録ヘッド１００７には前記位置決めピン１５０６およびベースカバー１０５２の押え部１５２１の出張り部を逃がすための凹部１７３１（図２１（ｄ）参照）が設けられている。したがって、位置決めピン１５０６の長さ、ベースカバー１０５２の押え部１５０２の肉厚を稼げるので、しっかりとしたラバーパッド１０５７およびフレキシブル基板１０５６の位置決め、抜け防止が可能となる。フレキシブル基板１０５６はフレキ固定板１０８５（図１４参照）によりシャーシ１００８に固定され、キャリッジ部１００５の位置に応じて、その曲率を変化させ、キャリッジ部１００５の動きに対応して、電気基板１００９からのヘッド駆動信号を記録ヘッド１００７に伝えている。
【００２１】
次に、キャリッジ部１００５に対する記録ヘッド１００７の着脱動作について説明する。
【００２２】
記録ヘッド１００７を装着する際には、フックレバー１０５３を図１６（ａ）に示すように上方向に上げてヘッドホルダー１０５１を左側に寄せて記録ヘッド１００７が装着できるようにする。この状態で、記録ヘッド１００７を装着し、フックレバー１０５３を下方向に回転させると、図１６（ｂ）に示すようにヘッドホルダー１０５１が記録ヘッド１００７と共に右側に移動し、記録ヘッド１００７の位置決め、電気的コンタクト等が行われる。この状態で、シート材への画像形成が可能となる。さらに、記録ヘッド１００７をキャリッジ部１００５から外すときは、フックレバー１０５３を上方向に上げてヘッドホルダー１０５１を左側に移動させると、ヘッドホルダー１０５１のガイドアーム１５１３が記録ヘッド１００７を左側に押し付けるので、キャリッジ部１００５から記録ヘッド１００７が外される。
【００２３】
以上の構成によって、記録ヘッド１００７のキャリッジ部１００５への脱着、保持、位置決め、および電気的コンタクト等が容易に行われる。
【００２４】
【発明が解決しようとする課題】
しかしながら、上記に説明した従来技術は、以下のような課題を有していた。
【００２５】
（１）記録ヘッドをキャリッジの正面からキャリッジに取り付ける場合には、ユーザーは記録ヘッドの姿勢を保ちながら、ヘッドホルダーの姿勢規制リブを記録ヘッドの凹部に嵌合させるようにして記録ヘッドを取り付ける必要があり、記録ヘッドの取り付け作業が難しかった。
【００２６】
（２）記録ヘッドをキャリッジの上方からセットする場合には、記録ヘッドを落とし込む空間を確保する必要があるため、記録ヘッドの凹部に嵌合するヘッドホルダーのガイドアームを設けることが出来ない。このため、記録ヘッドがキャリッジの下部側に落ち込むことになり、キャリッジに記録ヘッドを固定する際に、キャリッジの嵌合ピンと記録ヘッドの位置決め穴との相対的な位置関係がずれて、記録ヘッドの固定が確実に行われないおそれがある。
【００２７】
（３）記録ヘッドをキャリッジの上方から着脱する構成において、記録ヘッドを覆うヘッドホルダーをユーザーが手で押さえたりして、前記ヘッドホルダーがキャリッジから完全にリリースされていない状態で、記録ヘッドをキャリッジから取り外そうとした場合に、フレキシブル基板のコンタクトパッド部近傍と記録ヘッドのベースプレートあるいはコンタクト部とが干渉し、フレキシブル基板を破損したり、電気回路をショートさせてしまうおそれがある。
【００２８】
（４）記録ヘッドの着脱時等において、ユーザーが誤ってフレキシブル基板を引っ張った場合に、フレキシブル基板をキャリッジヘ固定、保護しているベースカバーが撓んで、フレキシブル基板およびベースカバーがキャリッジから外れてしまったり、フレキシブル基板を破損させてしまうおそれがあった。
【００３０】
そこで、本発明の第１の目的は、記録ヘッドをキャリッジから取り外す際にフレキシブル基板を破損してしまうこと等を防止することができる記録装置を提供することにある。
【００３１】
さらに、本発明の第２の目的は、ユーザーが誤ってフレキシブル基板を引っ張った場合であっても、ベースカバーがキャリッジから外れてしまったり、フレキシブル基板を破損させてしまうこと等を防止することができる記録装置を提供することにある。
【００３２】
【課題を解決するための手段】
上記目的を達成するため、本発明の記録装置は、往復走査するキャリッジと、記録ヘッドを保持して前記キャリッジに対してスライドすることにより、前記キャリッジに対する前記記録ヘッドの位置決めおよび固定をするヘッドホルダーと、前記記録ヘッドと記録装置に備えられたメイン基板とを電気的に接続するフレキシブル基板と、前記フレキシブル基板を前記キャリッジに固定するベースカバーと、を備えた記録装置において、前記ヘッドホルダーが押さえられた状態で前記記録ヘッドが前記キャリッジから取り外されることを規制するリブを前記ベースカバーに設けることを特徴とする。
【００３３】
これにより、ユーザーがヘッドホルダーを押さえた状態で記録ヘッドをキャリッジから取り外そうとした際に、例えば記録ヘッドの各部の凸部によってフレキシブル基板のコンタクト部を破損してしまうことを防止することが可能となる。
【００３６】
さらに、前記キャリッジに、前記フレキシブル基板を前記キャリッジの表面に沿わせた状態で保持する保持手段を備える構成とすることにより、キャリッジに対して記録ヘッドを着脱する際等にユーザーが誤ってフレキシブル基板を引っ張った場合であっても、フレキシブル基板をキャリッジに固定しているベースカバーがキャリッジから外れてしまったり、フレキシブル基板を破損させてしまう可能性が低減される。
【００３８】
【発明の実施の形態】
次に、本発明の実施形態について図面を参照して説明する。
【００３９】
（第１の実施形態）
図１は本発明の記録装置の第１の実施形態の概略構成を示す正面図である。
【００４０】
図１に示すように、本実施形態の記録装置におけるキャリッジ部５は、キャリッジ５０の軸受がシャーシ８に取り付けられたガイド軸８１に通され、調整レバー５８１及び圧接レバー５８２（共に図３参照）が同じくシャーシ８に取り付けられたガイドレール８２に摺動されることにより、図示Ａ方向に往復走査が可能となっている。つまり、ガイド軸８１およびガイドレール８２によって、キャリッジを往復走査方向にガイドするガイド手段が構成されている。キャリッジ５０の背面にはタイミングベルト８３が取り付けられている。タイミングベルト８３は、シャーシ８に取り付けられたキャリッジモーター８０の軸上に取り付けられたプーリー８４ａと、シャーシ８に取り付けられタイミングベルト８３を張設するアイドルプーリー８４ｂとに掛け回されている。キャリッジ５０は、キャリッジモーター８０を正転および逆転させることによって往復走査される。
【００４１】
キャリッジ部５ａに記録ヘッド７を着脱させる際には、キャリッジ等の記録装置の各機構を覆うハウジング（不図示）のうちの、キャリッジ５０ａに対する記録ヘッド７の着脱動作が行われる所定の位置に配置されたキャリッジ部５ａの上方の部分が開くように構成されている。また、キャリッジ５０ａの上部には、記録ヘッド７と記録シート（不図示）とのギャップを調整するための紙間調整部が設けられている。
【００４２】
図２は図１に示した記録装置のキャリッジ部の正面図、図３は図１に示した記録装置のキャリッジ部の上面図、図４は図１に示した記録装置のキャリッジ部の左側面図、図５は図１に示した記録装置のキャリッジ部の右側面図である。また、図６は記録ヘッドの両側面図、底面図および上面図、図７はキャリッジの側面図である。
【００４３】
図２〜図５に示すように、キャリッジ部５ａにおける記録ヘッド７の着脱部は、キャリッジ５０ａ、記録ヘッド７を保持してキャリッジ５０ａに対する記録ヘッド７の位置決めおよび固定をするヘッドホルダー５１ａ、ベースカバー５２ａ、フックレバー５３、フックカバー５５、フレキシブル基板５６ａの他、コンタクトばねやラバーパッド（共に不図示）等から構成されている。
【００４４】
ヘッドホルダー５１ａは、キャリッジ５０ａ上に設けられたガイド５０１に沿って記録ヘッド７を搭載し、キャリッジ５０ａの左右にスライドするように構成されている。ヘッドホルダー５１ａには、記録ヘッド７、キャリッジ５０ａに垂直に立てられた側板５０２のコンタクト面５０３及び位置決め面５０４（図７参照）に記録ヘッド７を押し付ける押圧部５１２が設けられている。キャリッジの側板５０２の位置決め面は３点ある。記録ヘッド７のノズル部７０近傍のベースプレート７２上に２点、記録ヘッド７のインクタンク７３の上方に１点が対応するように構成されている。記録ヘッド７とキャリッジ５０ａのコンタクト面５０３は、この位置決め面５０４の３点が形成する３角形の内部に位置するように構成されている。ヘッドホルダー５１ａの押し圧部５１２の押し位置はこの３角形の内部にある。
【００４５】
記録ヘッド７が装着される所定位置には、図６に示すように、記録ヘッド７のガイド７４に凹部７５が設けられている。さらに、記録ヘッド７の底面には凸部７６が、ヘッドホルダー５１ａの対応する受け部にはその凸部７６に対応した凹部５１５（図９参照）が設けられている。これにより、記録ヘッド７をキャリッジ部５ａに装着する際にノズル面をプラテン３４（図１参照）等に当てることがなく、記録ヘッド７にダメージを与えることがない。そして、装着時のクリック感が得られ、装着感が向上する。
【００４６】
フックレバー５３は、キャリッジ５０ａの側板５０２に回転可能に取り付けられている。フックレバー５３の回転中心にはコンタクトばね（不図示）が設けられており、フックレバー５３を付勢している。フックカバー５５はフックレバー５３を覆うように取り付けられ、フックレバー５３がキャリッジ５０ａから抜けないように保持している。フックレバー５３とヘッドホルダー５１ａには互いに当接するカムをそれぞれ有しており、フックレバー５３の回転によりヘッドホルダー５１ａが左右方向に移動するように構成されている。また、前記コンタクトばねの付勢力はフックレバー５３を介して、ヘッドホルダー５１ａの記録ヘッド７に対する押圧力になっている。
【００４７】
図５および図７に示すように、キャリッジ５０ａの側板５０２には記録ヘッド７の位置決めを行うための嵌合ピン５０５ａ，５０５ｂが設けられている。２つの嵌合ピン５０５ａ，５０５ｂは、記録ヘッド７のベースプレート７２の嵌合穴７７ａ，７７ｂに対応して設けられている。記録ヘッド７のベースプレート７２は記録ヘッド７の駆動からキャリッジ部５の走査方向に対して約１°〜４°傾いた構成となる。
【００４８】
傾いた嵌合穴７７ａ，７７ｂに対応するために、記録ヘッド７のベースプレート７２の２つの嵌合穴のうちの嵌合穴７７ａを角穴にし、嵌合穴７７ａに対応する、キャリッジ５０ａ側に設けられた図１９に示した嵌合ピン５０５ａと同様の嵌合ピン（不図示）が、一部に円柱形状を有する角形ピンとされている。さらに、丸穴の嵌合穴７７ｂに対応する、キャリッジ５０ａ側に設けられた図１９に示した嵌合ピン５０５ｂと同様の嵌合ピン（不図示）を、キャリッジの型を構成する上でアンダーカットとなる部分を取り除き、キャリッジの位置決め面５０４に記録ヘッド７が突き当てられる位置での嵌合が取れるようにされている。このようにすることで、複雑な型構造を用いなくても、傾いたベースプレート７２に対しても正確かつスムーズな記録ヘッド７の位置決めを行うことができるキャリッジ５０ａを構成することができる。
【００４９】
次に、キャリッジ部５ａに対する記録ヘッド７の着脱動作について、図３を参照して説明する。
【００５０】
記録ヘッド７をキャリッジ部５ａに装着する際には、フックレバー５３を図３（ａ）に示すように上方向に上げてヘッドホルダー５１ａを左側に寄せて記録ヘッド７が装着できるようにする。この状態で、記録ヘッド７を装着し、フックレバー５３を下方向に回転させると、図３（ｂ）に示すように、ヘッドホルダー５１ａが記録ヘッド７と共に右側に移動し、記録ヘッド７の位置決め、電気的コンタクト等が行われる。この状態で、シート材への画像形成が可能となる。
【００５１】
次に、記録ヘッド７をキャリッジ５０ａに装着する際の左右方向の姿勢規制に関して説明を行う。
【００５２】
記録ヘッド７は、ヘッドホルダー５１ａに投入されると、図２に示すように若干右側に傾いた状態で支持される。上述した通り、記録ヘッド７のセットは、フックレバー５３を回転させ、ヘッドホルダー５１ａをスライドさせることにより行われる。この時、キャリッジ５０ａに設けられた、記録ヘッド７のガイド部材としての姿勢規制リブ５０ｂは、ヘッドホルダー５１ａのスライドに従って、一番最初に記録ヘッド７の側壁部（ｄ）面側（図７参照）に突き当たる。更にそのままヘッドホルダー５１ａをスライドさせると、記録ヘッド７はキャリッジ５０ａの姿勢規制リブ５０ｂとヘッドホルダー５１ａの押圧部５１２とによって左右方向の支持が行われる。
【００５３】
その後、ヘッドホルダー５１ａを更にスライドさせると、ヘッドホルダー５１ａの押圧部５１２とキャリッジ５０ａの姿勢規制リブ５０ｂとの位置関係による力の作用によって、当初は傾いた状態でヘッドホルダー５１ａに支持されていた記録ヘッド７は、セット位置に近づくに従って姿勢が回復することとなる。前述したように、キャリッジ５０ａへの記録ヘッド７の固定は、記録ヘッド７のベースプレート７２に設けた嵌合孔７７ａ，７７ｂとキャリッジ５０ａ側の嵌合ピン５０５ａ，５０５ｂとによって行われるが、上記の姿勢回復動作により、嵌合孔７７ａ，７７ｂと嵌合ピン５０５ａ，５０５ｂとの相対位置を確実に合わせることができる。
【００５４】
次に、記録ヘッド７をキャリッジ５０ａに装着する際の前後方向の姿勢規制に関して説明を行う。
【００５５】
図８は、キャリッジおよびヘッドホルダー等の側面図である。本実施形態におけるヘッドホルダー５１ａは、記録ヘッド７をキャリッジ５０ａの上方からセットする構成となっているため、ヘッドホルダー５１ａの前面には前壁５１ｂが設けられている。ヘッドホルダー５１ａの前壁５１ｂの裏側には、複数のガイド部材としてのリブ５０９ａ，５０９ｂが設けられている（図３参照）。
【００５６】
ヘッドホルダー５１ａがキャリッジ５０ａからリリースされた状態で、記録ヘッド７をヘッドホルダー５１ａにセットすると、記録ヘッド７はヘッドホルダー５１ａ側へ倒れ込む。この時、記録ヘッド７の前後方向の姿勢を、これら複数のリブ５０９ａ、５０９ｂで規制し、記録ヘッド７が前方へ倒れることが防止される。このため、上述した左右方向の姿勢規制をする場合と同様に、記録ヘッド７のベースプレート７２に設けた嵌合孔７７ａ，７７ｂとキャリッジ５０ａ側の嵌合ピン５０５ａ，５０５ｂとの相対的な位置関係を維持することができる。
【００５７】
したがって、キャリッジ５０ａに対して記録ヘッド７を上方からセットする構成であっても、記録ヘッド７の正確でスムーズな姿勢規制、位置決めおよび固定を行うことが可能となる。さらに、記録ヘッド７をキャリッジ部５ａから外すときは、フックレバー５３を図３（ａ）に示すように上方向に上げてヘッドホルダー５１ａを左側に移動させると、ヘッドホルダー５１ａのガイド部５１７（図９参照）と、ヘッドホルダー５０ａ側の壁部５１３が記録ヘッド７を左側に押し付けるので、キャリッジ部５ａから記録ヘッド７が外される。
【００５８】
また、図８に示す様に、キャリッジ５０ａには、ヘッドホルダー５１ａの正面側を囲うように、キャリッジ５０ａの撓み強度を補強する補強部５０ｃが設けられている。この補強部５０ｃとヘッドホルダー５１ａの正面との間の空間には、記録ヘッド７の着脱時にヘッドホルダー５１ａが滑らかにスライドするように所定の間隔５０ｄが設けられている。キャリッジ５０ａをこのような構成とすることにより、ユーザーが記録ヘッド７をキャリッジ５０ａに着脱する場合に、上記の補強部５０ｃは、ヘッドホルダー５１ａに負荷が加えられたときに前記間隔５０ｄの領域でヘッドホルダー５１ａの前壁５１ｂが撓むことを抑えることができる。したがって、記録ヘッド７を着脱する際にも、ヘッドホルダー５１ａに設けた位置決めの複数のガイド部５０９ａ、５０９ｂの位置をほぼ一定の箇所に保つことが可能となり、記録ヘッド７の装着性を安定させることが出来る。また、キャリッジ５０ａ全体の剛性感を高めることとなり、ユーザーによって操作される時に十分な強度を保つ効果をもたらすことが可能となる。
【００５９】
キャリッジ５０ａからの記録ヘッド７の取り外しは、上述した通り、フックレバー５３を操作し、ヘッドホルダー５１ａをスライドさせることにより行われる。通常、ヘッドホルダー５１ａはフックレバー５３を操作することにより、ヘッドホルダー５１ａに設けられたリリースばね（不図示）の弾性力でリリース動作を行う構成になっている。しかしながら、ユーザーがヘッドホルダー５１ａを片手で支持して押さえた状態で記録ヘッド７を取り外そうとした場合、記録ヘッド７のベースプレート部あるいはコンタクト端子部と、キャリッジ５０ａ側に設けられたフレキシブルケーブル５６６（図１１参照）のコンタクト端子が完全に離れない状態で、記録ヘッド７が上方へ取り外されてしまうこととなり、結果として、これらが干渉することにより、フレキシブル基板５６ａ（図５参照）のコンタクト端子部を傷つけたり、破損させてしまい、最悪の場合には記録装置が動作しなくなるおそれがある。
【００６０】
そこで、本実施形態の記録装置では、図２に示すように、ガイドリブ５２ｃと、記録ヘッド７を取り外す際の取外し規制手段であるリブ５２ｂとがベースカバー５２ａの上部に設けられている。このリブ５２ｂは、ユーザーがヘッドホルダー５１ａを支持しながら記録ヘッド７をキャリッジ５０ａから取り外そうとした場合には、記録ヘッド７の天面がリブ５２ｂに突き当たり、記録ヘッド７の取り外しができないように規制する。これにより、記録ヘッド７の各部の凸部がフレキシブル基板５６ａのコンタクト部を破損させることが防止される。
【００６１】
通常の操作においてユーザーがヘッドホルダー５１ａにふれていない状態においては、前記リリースばねの反発力によってヘッドホルダー５１ａは十分にリリースされる。前記規制リブ５２ｂは記録ヘッド７と干渉しない位置に設けられているため、記録ヘッド７を取り出す際には記録ヘッド７の着脱作業が容易であり、簡単、低コストな構成で上記の問題を防止することができる。また、ベースカバー５２ａに設けられたガイドリブ５２ｃは、図８に示すように記録ヘッド７を取り外す際に、記録ヘッド７の上面をガイドして取り外しを容易にすることができるため、記録ヘッド７の交換時における操作性を向上させる。
【００６２】
図１０は、本実施形態の記録装置におけるキャリッジ５０ａを示す正面図である。
【００６３】
記録ヘッド７の端子部と記録装置に備えられたメイン基板（不図示）とを繋ぐフレキシブル基板５６ａは、キャリッジ５０ａとベースカバー５２ａとの間に挟まれるようにしてキャリッジに支持固定されている。ベースカバー５２ａは複数の爪部を有し、それぞれの爪部がキャリッジ５０ａの嵌合孔に引っかかることで、キャリッジ５０ａに固定されている。
【００６４】
図１１は本実施形態の記録装置におけるフレキシブル基板５６ａを示す図である。
【００６５】
フレキシブル基板５６ａは、フレキシブルパターンサーキット部５６５（以下、「ＦＰＣ部５６５」という。）に、フレキシブルフラットケーブル部５６６（以下、「ＦＦＣ部５６６」という。）を半田付けすることによって構成されている。ＦＰＣ部５６５は、従来のフレキシブル基板の固定方法と同様に、キャリッジ５０ａの側板５０２に設けられた位置決めピン５０６によって位置決めされている（図５参照）。ＦＰＣ部５６５の位置決め部のコンタクト部５６１の逆側にはスリット５６３が設けられ、組立上の変形等の影響がコンタクト部５６１に及ばないように構成されている。キャリッジ５０ａの側板５０２には、フレキシブル基板５６ａの先端部５６２が挿入されるスリット穴５０７（図７参照）が設けられている。図２０に示したように、先端部５６２を反らせてスリット穴５０７に挿入させる。先端部５６２はスリット穴５０７を通過すると真っ直ぐになり、スリット穴５０７に引っ掛かるので抜けることはない。
【００６６】
記録ヘッド７を装着するとキャリッジ５０ａのコンタクト面５０３が記録ヘッド７のベースプレート７２の切り欠き部（不図示）の中に入り込み、切り欠き部の内側に形成された基板上のコンタクト面７８と接触する。フレキシブル基板５６ａはキャリッジ５０ａの側板５０２に沿って引き回し、隅部で垂直に折られてベースカバー５２ａによってキャリッジ５０ａに固定されている。
【００６７】
本実施形態におけるフレキシブル基板５６ａは、キャリッジの隅部近傍の折り曲げ部５６９から延びる部分がＦＦＣ部５６６によって構成されている。ＦＦＣ部５６６は、通常、凸部等の無い真っ直ぐな構成であるため、従来技術におけるフレキシブル基板のような仮止め用凸部を設けることができない。また、フレキシブル基板５６ａの、従来のフレキシブル基板における仮止め用凸部が設けられている部分に相当する部分の近傍までをＦＰＣ部で構成する手法も考えられるが、ＦＰＣ部５６５のサイズを大きくすることによるコストアップや、ユーザーがキャリッジ５０ａの側部からフレキシブル基板５６ａを引っ張った場合には、引っ張り力がフレキシブル基板５６ａの半田融着部５６７に直接に集中するので、フレキシブル基板５０ａが断線するおそれがあるため望ましくない。さらに、キャリッジ５０ａの隅部近傍の折り曲げ部５６９から延びる部分をＦＦＣ部によって構成する場合には、フレキシブル基板５６ａを側面から引っ張ると、フレキシブル基板５６ａを固定しているベースカバー５２ａの爪部が外れる方向に力が作用し、ベースカバー５２ａが外れてしまうおそれがある。これらの問題点を解決するために、本実施形態においては、図１２および図１３に示すように、フレキシブル基板５６ａをキャリッジ５０ａの表面に沿わせた状態で保持する保持手段としてのストッパ５０ｅをキャリッジ部５０ａに設けると共に、ベースカバー５２ａにはストッパ５０ｅに対応した切欠き部５２ｄを設ける構成とした。
【００６８】
フレキシブル基板５６ａをキャリッジ５０ａに固定する際には、まず最初に、キャリッジ５０ａの隅部の折り曲げ部５６９において、フレキシブル基板５６ａがキャリッジ５０ａに設けられたストッパ５０ｅに挟み込まれるようにして、フレキシブル基板５６ａをキャリッジ５０ａに仮止めする。次に、ベースカバー５２ａを上述したようにしてキャリッジ５０ａに固定する。これにより、フレキシブル基板５６ａはキャリッジ５０ａに固定される。なお、ベースカバー５２ａの切欠き部５２ｄは、キャリッジ５０ａのストッパ５０ｅに対応した形状となっているので、組立上何ら問題は生じない。
【００６９】
このようにしてキャリッジ５０ａに固定されたフレキシブル基板５６ａは、ユーザーがキャリッジ５０ａの側面からフレキシブル基板５６ａを引っ張った場合であっても、ストッパー５０ｅの側面とフレキシブル基板５６ａの平面部とで支持されているために外れることがなく、フレキシブル基板５６ａ側も平面部の広い範囲で固定できるため、破損するようなことはない。さらには、フレキシブル基板５６ａの半田融着部５６７は引っ張り力の作用する方向に対して垂直な向きに配置できるため、半田融着部５６７が破断するようなこともない。以上のような構成とすることにより、簡単な構成で、フレキシブル基板５６ａの位置決め、抜け防止、およびフレキシブル基板の保護が可能となる。
【００７０】
【発明の効果】
以上説明したように、本発明の記録装置は、ヘッドホルダーが押さえられた状態で記録ヘッドがキャリッジから取り外されることを規制するリブがベースカバーに設けられているので、記録ヘッドをキャリッジから取り外す際にフレキシブル基板を破損してしまうこと等を防止することができる。
【００７２】
さらに、キャリッジに、フレキシブル基板をキャリッジの表面に沿わせた状態で保持する保持手段を備えることにより、ユーザーが誤ってフレキシブル基板を引っ張った場合であっても、ベースカバーがキャリッジから外れてしまったり、フレキシブル基板を破損させてしまうこと等を防止することができる。
【図面の簡単な説明】
【図１】本発明の記録装置の第１の実施形態の概略構成を示す正面図である。
【図２】図１に示した記録装置のキャリッジ部の正面図である。
【図３】図１に示した記録装置のキャリッジ部の上面図である。
【図４】図１に示した記録装置のキャリッジ部の左側面図である。
【図５】図１に示した記録装置のキャリッジ部の右側面図である。
【図６】本実施形態の記録ヘッドの両側面図、底面図および上面図である。
【図７】本実施形態のキャリッジの側面図である。
【図８】本実施形態のキャリッジおよびヘッドホルダー等の側面図である。
【図９】本実施形態の記録装置におけるヘッドホルダーを示す図であり、同図（ａ）はヘッドホルダーの平面図、同図（ｂ）はヘッドホルダーの正面図である。
【図１０】本実施形態の記録装置におけるキャリッジを示す正面図である。
【図１１】本実施形態の記録装置におけるフレキシブル基板を示す図である。
【図１２】本実施形態のキャリッジの正面図である。
【図１３】本実施形態のベースカバーの詳細図である。
【図１４】従来の記録装置の概略構成を示す正面図である。
【図１５】図１４に示した従来の記録装置のキャリッジ部の平面図である。
【図１６】従来の記録装置におけるキャリッジ部の正面図である。
【図１７】従来の記録装置におけるキャリッジ部のコンタクト部等の構成図である。
【図１８】従来の記録装置におけるヘッドホルダーを示す図であり、同図（ａ）はヘッドホルダーの平面図、同図（ｂ）はヘッドホルダーの正面図である。
【図１９】従来の記録装置における記録ヘッドの嵌合ピンを示す拡大図である。
【図２０】従来の記録装置におけるキャリッジの側板に対するフレキシブル基板の先端部の取り付け構造を示す図である。
【図２１】従来の記録装置における記録ヘッドの両側面図、底面図および上面図である。
【符号の説明】
５ａ    キャリッジ部
７      記録ヘッド
８      シャーシー
３４    プラテン
５０ａ  キャリッジ
５０ｂ  姿勢規制リブ
５０ｃ  補強部
５０ｄ  間隔
５０ｅ  ストッパ
５１ａ  ヘッドホルダー
５１ｂ  前壁
５２ａ  ベースカバー
５２ｂ  リブ
５２ｃ  ガイドリブ
５２ｄ  切欠き部
５３，５５    フックレバー
５６ａ  フレキシブル基板
５７    ラバーパッド
７２    ベースプレート
７３    インクタンク
７４    ガイド
７５，７６    凸部
７７ａ，７７ｂ    嵌合穴
７８    コンタクト面
８０    キャリッジモータ
８１    ガイド軸
８２    ガイドレール
８３    タイミングベルト
８４ａ  プーリ
８４ｂ  アイドルプーリ
８５    フレキ固定板
５０１  ガイド
５０２  側板
５０３  コンタクト面
５０４  位置決め面
５０５ａ，５０５ｂ    嵌合ピン
５０６  位置決めピン
５０７  スリット穴
５０９ａ，５０９ｂ    リブ
５１２  押圧部
５１３  壁部
５１５  凹部
５１７  ガイド部
５２１  押さえ部
５６１  コンタクト部
５６２  先端部
５６２ａ  引掛け部
５６３  スリット
５６５  ＦＰＣ部
５６６  ＦＦＣ部
５６７  半田融着部
５６８  保護部材
５６９  折り曲げ部
５８１  調整レバー
５８２  圧接レバー
７３１  凹部
【図１】
0003667107.tif 000002
【図２】
0003667107.tif 000003
【図３】
0003667107.tif 000004
【図４】
0003667107.tif 000005
【図５】
0003667107.tif 000006
【図６】
0003667107.tif 000007
【図７】
0003667107.tif 000008
【図８】
0003667107.tif 000009
【図９】
0003667107.tif 000010
【図１０】
0003667107.tif 000011
【図１１】
0003667107.tif 000012
【図１２】
0003667107.tif 000013
【図１３】
0003667107.tif 000014
【図１４】
0003667107.tif 000015
【図１５】
0003667107.tif 000016
【図１６】
0003667107.tif 000017
【図１７】
0003667107.tif 000018
【図１８】
0003667107.tif 000019
【図１９】
0003667107.tif 000020
【図２０】
0003667107.tif 000021
【図２１】
0003667107.tif 000022